(57)【要約】【課題】画像形成部で形成した画像を一面に転写した記録紙の画像転写面を反転させ、再度画像形成部に送って両面に画像を転写するための再搬送路下部に並列に記録紙収納手段を設けた画像形成装置においては、記録紙搬送方向上流側に設けた記録紙収納手段とその搬送ガイド間に記録紙が詰まると取り除くのが非常に困難だった。そのため、この処理を簡単に行えるようにした機構を有する画像形成装置を提供することが課題である。【解決手段】再搬送路下部に記録紙搬送方向上流側に設けた記録紙収納手段から送り出された記録紙をガイドし、記録紙搬送方向下流側に設けた記録紙収納手段から送り出される記録紙の搬送路に合流させる搬送ガイドを設け、前記再搬送路と前記搬送ガイドの前記再搬送路側を一緒に記録紙搬送方向に対して直角方向に引き出せるようにした。【選択図】      図１
2004177820.tif 000002
【特許請求の範囲】
【請求項１】
電子写真方式で画像を形成する画像形成部と、該画像形成部下部に設けられ、画像形成部で形成した画像を一面に転写した記録紙の画像転写面を反転させて前記画像形成部に送る再搬送路と、該再搬送路下部に記録紙搬送方向下流側を第１とし、上流側を第２として並列に設けられた記録紙収納手段とを有する画像形成装置において、
前記再搬送路下部に前記第２の記録紙収納手段から送り出された記録紙をガイドして前記第１の記録紙収納手段から送り出される記録紙の搬送路に合流させる搬送ガイドを設け、前記再搬送路と、前記搬送ガイドの前記再搬送路側ガイド部材とを一緒に記録紙搬送方向に対して直角方向に引き出せるようにしたことを特徴とする画像形成装置。
【請求項２】
前記再搬送路における前記記録紙収納手段側ガイド部材と、前記搬送ガイドの前記再搬送路側ガイド部材とを一体に形成したことを特徴とする請求項１に記載した画像形成装置。
【請求項３】
前記搬送ガイドにおける前記再搬送路側ガイド部材と、前記再搬送路における前記搬送ガイド側ガイド部材とに設ける搬送ローラを共通としたことを特徴とする請求項１に記載した画像形成装置。
【請求項４】
前記共通とした搬送ローラを、正逆両方向に駆動可能としたことを特徴とする請求項３に記載した画像形成装置。
【請求項５】
前記搬送ガイドにおける前記再搬送路側ガイド部材と、前記再搬送路における前記搬送ガイド側ガイド部材とにクラッチ機構を有する駆動ローラを設け、前記共通とした搬送ローラを従動ローラとしたことを特徴とする請求項３に記載した画像形成装置。
【発明の詳細な説明】
【０００１】
【発明の属する技術分野】
本発明は電子写真方式を用いた複写機、プリンタ、ファクシミリ、それらの複合機などの画像形成装置に関し、特に、画像形成装置本体下部に並列に設けた記録紙収納手段からの給紙における紙詰まりを処理する機構を有する画像形成装置に関するものである。
【０００２】
【従来の技術】
画像形成装置における記録紙使用量の増大に伴い、本体下部に記録紙を多段に収容した画像形成装置が提案されたが、収容できる記録紙枚数が装置本体の高さで制限されてしまうため、記録紙収納手段を記録紙の搬送方向に対して並列に設け、それぞれの記録紙収納手段から給紙できるようにして、記録紙の収容枚数を増加できるようにした画像形成装置が例えば特許文献１乃至４に示されている。
【０００３】
そのため、特許文献１に示された画像形成装置を図４に基づいて簡単に説明すると、複写機１００の本体底部にカセット１０２が取付けられており、このカセット１０２には、記録紙の第１シート積載部１０３と第２シート積載部１０４とが並列して設けられている。そして、第１シート積載部１０３に積載されたシートは、ピックアップローラ１０５によりピックアップされ、ガイド１０６により形成される第１パスを経て搬送ローラ１０７により中継されて、レジストローラ１０８のニップ部にシートの先端を当接して撓ませ、姿勢が規制されるようになっている。そして、感光体ドラム１１０に形成された潜像は現像機１１１によって現像され、感光体ドラム１１０とタイミングを合せて搬送されるシート上にトナー像が転写された後、搬送部１１３を経て定着機１１４で定着され、排紙ローラ１１５によって排紙トレイ１１６上に画像を上向きにして排出される。
【０００４】
そして両面複写の場合は、シートが排紙ローラ１１５によって排紙トレイ１１６上に排出されているとき、シートの後端がフラッパ１１７を通過した時に排紙ローラ１１５を反転すると共に、フラッパ１１７を時計回りに回転させ、シート後端を先頭にしてパス１１８を下降させる。そして搬送ローラ１１９、１２０によって両面パス１２１に搬送し、更に再給紙ローラ１２２によって再びレジストローラ１０８にシートを送り、前記同様に排紙トレイ１１６に裏面を表にして排出する。
【０００５】
また二重複写の場合はフラッパ１１７を反時計回りに回動し、定着機１１４を出たシートをパス１１８方向に向かわせて、両面パス１２１、再給紙ローラ１２２によってレジストローラ１０８に搬送し、前記したように排紙トレイ１１６上に二重複写面を上面にして排出するようになっている。また、特許文献２乃至３に示された画像形成装置も、この特許文献１と同様両面パスを用いて左右に設置した記録紙収納手段からピックアップした記録紙を合流させ、画像形成部に導くようにしている。
【０００６】
【特許文献１】
特許２９３１３８９号（特開平４−２８６７５号公報）
【特許文献２】
特許第２８７３６４２号（特開平５−１９３７６６号公報）
【特許文献３】
特許第３０９４２５０号（特開平５−１９３７６７号公報）
【特許文献４】
特許第３０９４２５１号（特開平５−１９３７６８号公報）
【０００７】
【発明が解決しようとする課題】
しかしながらこの特許文献１乃至４に記載された画像形成装置においては、左側の第２記録紙収納手段（第２シート積載部）１０４からピックアップローラ１３１によってピックアップされ、ガイド１３２で形成された第２パスを経て両面パス１２１に給紙された記録紙が、紙詰まり等によって搬送路中、特に第２記録紙収納手段１０４と両面パス１２１における搬送ローラ１２０の両方のローラに噛み合った状態で停止して紙詰まりした場合、紙詰まりの処理を行うことが非常に困難となる。
【０００８】
そのため本発明においては、画像形成部で形成した画像を一面に転写した記録紙の画像転写面を反転させて前記画像形成部に送る再搬送路下部に、記録紙搬送方向下流側を第１とし、上流側を第２として並列に設けた記録紙収納手段のジャム処理を簡単に行えるようにした機構を有する画像形成装置を提供することが課題である。
【０００９】
【課題を解決するための手段】
そのため本発明においては、
電子写真方式で画像を形成する画像形成部と、該画像形成部下部に設けられ、画像形成部で形成した画像を一面に転写した記録紙の画像転写面を反転させて前記画像形成部に送る再搬送路と、該再搬送路下部に記録紙搬送方向下流側を第１とし、上流側を第２として並列に設けられた記録紙収納手段とを有する画像形成装置において、
前記再搬送路下部に前記第２の記録紙収納手段から送り出された記録紙をガイドして前記第１の記録紙収納手段から送り出される記録紙の搬送路に合流させる搬送ガイドを設け、前記再搬送路と、前記搬送ガイドの前記再搬送路側ガイド部材とを一緒に記録紙搬送方向に対して直角方向に引き出せるようにしたことを特徴とする。
【００１０】
このように再搬送路と搬送ガイドの再搬送路側ガイド部材を一緒に記録紙搬送方向に対して直角方向に引き出せるようにすることにより、前記搬送ガイド上部と下部が分離されるから、前記第２の記録紙収納手段と前記搬送ガイド間で詰まった記録紙は容易に取り除くことが可能となる。
【００１１】
そして、前記再搬送路における前記記録紙収納手段側ガイド部材と、前記搬送ガイドの前記再搬送路側ガイド部材とを一体に形成することにより、部品点数の削減が可能となり、製品のコストを下げることができる。
【００１２】
また、前記搬送ガイドにおける前記再搬送路側ガイド部材と、前記再搬送路における前記搬送ガイド側ガイド部材とに設ける搬送ローラを共通とすることにより、再搬送路における搬送ガイド側と、搬送ガイドにおける再搬送路側の搬送ローラのいずれかの搬送ローラ削減によって製品コストを下げることが可能となる。
【００１３】
そして、前記共通とした搬送ローラを、正逆両方向に駆動可能とすることにより、再搬送路を記録紙が通過するときは共通とした搬送ローラを時計回りに駆動させ、搬送ガイドを記録紙が通過するときは共通とした搬送ローラを反時計回りに駆動させることにより、記録紙を画像形成部に搬送することができる。
【００１４】
また、前記搬送ガイドにおける前記再搬送路側ガイド部材と、前記再搬送路における前記搬送ガイド側ガイド部材とにクラッチ機構を有する駆動ローラを設け、前記共通とした搬送ローラを従動ローラとすることにより、再搬送路を記録紙が通過するときは搬送ガイド側駆動ローラのクラッチを切って再搬送路側駆動ローラを駆動し、搬送ガイドを記録紙が通過するときは再搬送路側駆動ローラのクラッチを切って搬送ガイド側駆動ローラを駆動することにより、共通とした搬送ローラはこれら駆動ローラに従動するだけであるから、記録紙を画像形成部に搬送することができる。
【００１５】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１６】
図１は本発明における画像形成装置の第１実施形態を示した概略断面図、図２は同じく第２実施形態の概略断面図、図３は同じく第３実施形態の概略断面図である。
【００１７】
図中１は画像形成装置、２〜５は画像形成装置１本体下部に設けられた記録紙収納手段で、図から明らかなように、記録紙の搬送方向に対して下流側に第１記録紙収納手段２と上流側に第２記録紙収納手段３が並列に設けられ、第３記録紙収納手段４、第４記録紙収納手段５は、この第１記録紙収容手段２、第２記録紙収納手段３の下部に設けられている。なお、この第３記録紙収納手段４、第４記録紙収納手段５は必要に応じて設ければよい。６〜９はこれら記録紙収納手段２〜５に収容された記録紙をピックアップするためのピックアップローラ、１０〜１７、１９、２０は搬送ローラ、１８は記録紙の共通搬送ガイド、２１はレジストローラ、２２は感光体ドラム、２３は現像装置、２４は感光体ドラム２２上に形成された潜像を記録紙に転写するための転写装置、２５はトナー像を転写された記録紙の搬送部、２６は定着装置、２７は排出ローラ、２８は両面切り換え装置、２９は記録紙の両面に画像を転写する場合に記録紙を画像形成部に再搬送するための両面パス、３０は搬送ローラ、３１は画像を一面に転写した記録紙の画像転写面を反転させて共通搬送ガイド１８に送り出すための再搬送路を有する両面ユニット、３２〜３８は搬送ローラである。
【００１８】
さらに図１において、点線で囲った４０は図上紙面に垂直な手前側に引きだし可能に構成した第１実施形態の引き出しユニットであり、４１は第２記録紙収納手段３からピックアップした記録紙を共通搬送ガイド１８に送り出すための搬送ガイド、４２は両面ユニット３１から送り出されてきた記録紙の再搬送路を構成する搬送ガイドで、引き出しユニット４０には、両面ユニット３１、第２記録紙収納手段３からピックアップされた記録紙をガイドする搬送ガイド４１における上側（再搬送路側）ガイド部材とその搬送ローラ１２、１４、両面ユニット３１から送られてくる記録紙の搬送ガイド４２が含まれている。図２において４５は第２実施形態の引き出しユニットであり、４６は再搬送路を構成する搬送ガイド４２の下側ガイド部材と第２記録紙収納手段３からピックアップした記録紙の搬送ガイド４１の上側ガイド部材を一体に形成した搬送ガイド部材で、引き出しユニット４５には、両面ユニット３１、搬送ガイド部材４６、その搬送ガイド部材４６に設けられた搬送ローラ１２、１４、３６、３８が含まれている。
【００１９】
図３において５０は第３実施形態の引き出しユニットであり、５１は両面ユニット３１から送り出されてきた記録紙の再搬送路を構成する搬送ガイドで、５２は第２記録紙収納手段３からピックアップした記録紙の搬送ガイド、５３、５４は再搬送路を構成する搬送ガイド５１側の搬送ローラ、５５、５６は第２記録紙収納手段３の搬送ガイド５２側の搬送ローラ、５７、５８は、搬送ガイド５２における再搬送路５１側と再搬送路５１における搬送ガイド５２側のローラを共通とした搬送ローラで、この搬送ローラ５７、５８は、正逆両方向に駆動可能とし、両面搬送ガイド５１側を記録紙が通る場合は時計方向に、第２記録紙収納手段３からピックアップされた記録紙が搬送ガイド５２側を通るときは反時計回りに回転できるようにしたり、この搬送ローラ５７、５８を従動ローラとすると共に、搬送ガイド５２における搬送ローラ５５、５６、再搬送路５１における搬送ローラ５３、５４をクラッチを有する駆動ローラとし、再搬送路５１を記録紙が通過するときは搬送ガイド５２側の搬送ローラ５５、５６のクラッチを切って再搬送路５１側の搬送ローラ５３、５４を駆動し、搬送ガイド５２を記録紙が通過するときは再搬送路５１側搬送ローラ５３、５４のクラッチを切って搬送ガイド５２側搬送ローラ５５、５６を駆動するようにしても良い。そして引き出しユニット５０には、両面ユニット３１、搬送ガイド５１、搬送ローラ５７、５８が含まれている。
【００２０】
最初に図１に基づいて本発明になる画像形成装置を説明すると、本発明の画像形成装置１は本体下部に、記録紙の搬送方向に対して下流側（図上右側）に第１記録紙収納手段２と上流側（図上左側）に第２記録紙収納手段３が並列に設けられ、更に必要に応じてこれら第１、第２記録紙収納手段２、３の下部に、第３記録紙収納手段４、第４記録紙収納手段５が設けられる。そしてこれら記録紙収納手段２〜５には、収容された記録紙をピックアップするためのピックアップローラ６〜９が設けられ、第１記録紙収納手段２からピックアップされた記録紙は搬送ローラ１０で、第２記録紙収納手段３からピックアップされた記録紙は搬送ローラ１１から搬送ガイド４２に設けられた搬送ローラ１２、１３と１４、１５を経由して、そして第３、第４の記録紙収納手段４、５からピックアップされた記録紙は搬送ローラ１６、１７を経由して共通搬送ガイド１８に送り出され、さらに搬送ローラ１９、２０を経由してレジストローラ２１に達する。一方、感光体ドラム２２を帯電、露光することで形成された潜像は現像装置２３によって現像されてトナー像となり、レジストローラ２１を経由して送られてきた記録紙に転写装置２４によって転写された後、搬送部２５を経て定着装置２６で定着されて排出ローラ２７によって図示しない排紙トレイ上に排出される。
【００２１】
そして両面画像形成を行う場合は、両面切り換え装置２８が反時計回りに回動し、排出ローラ２７側の通路をふさぐと共に両面パス２９側の通路を開ける。そのため記録紙は搬送ローラ３０によって両面パス２９を下降し、搬送ローラ３２で両面ユニット３１に送られる。そして、今度は搬送ローラ３２が逆回転して記録紙を両面ユニット３１から送り出し、搬送ローラ３３、３４、３５、３６を介して再搬送路を構成する搬送ガイド４２へ、そして搬送ローラ３７、３８から共通搬送ガイド１８へと送り、レジストローラ２１から感光体ドラム２２に達すると前記と同様にして画像が転写され、定着装置２６で定着されて排出ローラ２７を介して排出される。
【００２２】
このように構成した画像形成装置１において、第２記録紙収納手段３に収容された記録紙は、前記したようにピックアップローラ７によって取り出され、搬送ローラ１１を介して搬送ガイド４１の搬送ローラ１２〜１５によって共通搬送ガイド１８に送り込まれる。しかし、記録紙が搬送ローラ１１と搬送ガイド４１の搬送ローラ１２、１３の間にまたがるか、もしくは搬送ガイド４１内で詰まったときは、両面ユニット３１、再搬送路を構成する搬送ガイド４２、第２記録紙収納手段から引き出された記録紙の搬送ガイド４１における上側ガイド部材から構成される引き出しユニット４０を、一緒に記録紙搬送方向に対して直角方向（すなわち図面に垂直な方向）に引き出す。すると、搬送ガイド４１の下側ガイド部材、すなわち搬送ローラ１３、１５の部分は画像形成装置本体に残り、上側ガイド部材が引き出される。そのため、搬送ローラ１１と搬送ガイド４１の搬送ローラ１２、１３の間にまたがるか、もしくは搬送ガイド４１内で詰まった記録紙は、容易に取り除くことができる。なお、搬送ローラ１３、１５のローラ軸を、引き出しユニット４０を挿入したときに押圧されるレバーなどによって搬送ローラ１３、１５と搬送ローラ１２、１４とが噛み合う方向に移動させ、引き出しユニット４０の引き出しによってこのレバーの押圧を解除して、搬送ローラ１３、１５と搬送ローラ１２、１４との噛み合いが解除される方向に移動させるように構成するなどし、引き出しユニット４０を引き出すときは、搬送ガイド４１に設けられた搬送ローラ１２、１３と１４、１５の噛み合いを解除できるようにすることが好ましい。
【００２３】
図２は、本発明の第２実施形態に係わる画像形成装置の断面図である。図１に示した第１実施形態においては、搬送ガイド４１、４２を全く別個に構成し、再搬送路を構成する搬送ガイド４２と、搬送ガイド４１の搬送ローラ１２、１４を含む上側ガイド部材とを一緒に引き出すよう説明したが、この図２に示した第２実施形態においては、搬送ガイド４１における上側ガイド部材と、再搬送路を構成する搬送ガイド４２の下側ガイド部材を搬送ガイド部材４６として一体に形成し、内部にそれぞれの搬送ローラ１２、１４、３６、３８を設けたものである。
【００２４】
そのため、記録紙が搬送ローラ１１と搬送ガイド４１の搬送ローラ１２、１３の間にまたがるか、もしくは搬送ガイド４１内で詰まったときは、両面ユニット３１、再搬送路を構成する搬送ガイド４２の上側ガイド部材、及び搬送ガイド４２の下側ガイド部材と搬送ガイド４１における上側ガイド部材とを一体とした搬送ガイド部材４６から構成される引き出しユニット４５を、記録紙搬送方向に対して直角方向（すなわち図面に垂直な方向）に引き出す。すると、搬送ガイド４１の下側ガイド部材、すなわち搬送ローラ１３、１５の部分は画像形成装置本体に残り、上側ガイド部材が引き出される。そのため、搬送ローラ１１と搬送ガイド４１の搬送ローラ１２、１３の間にまたがるか、もしくは搬送ガイド４１内で詰まった記録紙は、容易に取り除くことができる。なお、搬送ローラ１３、１５のローラ軸を、引き出しユニット４５を挿入したときに押圧されるレバーなどによって搬送ローラ１３、１５と搬送ローラ１２、１４とが噛み合う方向に移動させ、引き出しユニット４５の引き出しによってこのレバーの押圧を解除して、搬送ローラ１３、１５と搬送ローラ１２、１４との噛み合いが解除される方向に移動させるように構成するなどし、引き出しユニット４５を引き出すときは、搬送ガイド４６に設けられた搬送ローラ１２、１４と、搬送ガイド４１の下側に設けられた搬送ローラ１３、１５との噛み合いを解除できるようにすることが好ましい。このようにすることにより、それぞれの搬送ローラ１２、１４、３６、３８を別個に取り付ける部材が不用となり、それだけ部品点数を削減できて、製品コストを下げることができる。
【００２５】
図３は、本発明の第３実施形態に係わる画像形成装置の断面図である。図１、図２に示した第１、第２実施形態においては、搬送ガイド４１、４２における搬送ローラ１２、１４、３６、３８をそれぞれ別個に設けたが、この図３に示した第３実施形態においては、この図１、図２における搬送ローラ１２と３６、１４と３８を共通として搬送ローラ５７、５８とし、共通としたこの搬送ローラ５６、５７を、正逆方向に駆動可能とするか、あるいは搬送ガイド５２における搬送ローラ５５、５６、再搬送路５１における搬送ローラ５３、５４をクラッチを有する駆動ローラとして、共通としたこの搬送ローラ５６、５７を従動ローラとしたものである。すなわちこのようにすることにより、この搬送ローラ５６、５７を正逆方向に駆動可能とした場合、再搬送路を構成する搬送ガイド５１側を記録紙が通過するときはこの搬送ローラ５７、５８を時計回りに、搬送ガイド５２側を記録紙が通過するときはこの搬送ローラ５７、５８を反時計回りに回転させるようにし、この搬送ローラ５７、５８を従動ローラとする場合は、再搬送路５１を記録紙が通過するときは搬送ガイド５２側の搬送ローラ５５、５６のクラッチを切って再搬送路５１側の搬送ローラ５３、５４を駆動し、搬送ガイド５２を記録紙が通過するときは再搬送路５１側搬送ローラ５３、５４のクラッチを切って搬送ガイド５２側搬送ローラ５５、５６を駆動するようにすることにより、記録紙を画像形成部に搬送することができる。
【００２６】
そのため、記録紙が搬送ローラ１１と搬送ガイド５２の搬送ローラ５５、５７の間にまたがるか、もしくは搬送ガイド５２内で詰まったときは、両面ユニット３１、再搬送路を構成する搬送ガイド５１、共通とした搬送ローラ５７、５８、搬送ガイド５２の再搬送路側ガイド部材から構成される引き出しユニット５０を、記録紙搬送方向に対して直角方向（すなわち図面に垂直な方向）に引き出す。すると、搬送ガイド５２の下側ガイド部材、すなわち搬送ローラ５５、５６の部分は画像形成装置本体に残って搬送ローラ５７、５８側が引き出される。そのため、搬送ローラ１１と搬送ガイド５２の搬送ローラ５５、５７の間にまたがるか、もしくは搬送ガイド５２内で詰まった記録紙は、容易に取り除くことができる。なお、搬送ローラ５５、５６のローラ軸を、引き出しユニット５０を挿入したときに押圧されるレバーなどによって搬送ローラ５５、５６と搬送ローラ５７、５８とが噛み合う方向に移動させ、引き出しユニット５０の引き出しによってこのレバーの押圧を解除して、搬送ローラ５５、５７と搬送ローラ５６、５８との噛み合いが解除される方向に移動させるように構成するなどし、引き出しユニット５０を引き出すときは、搬送ガイド５２の搬送ローラ５７、５８と、搬送ガイド５２の下側に設けられた搬送ローラ５５、５６の噛み合いを解除できるようにすることが好ましい。このようにすることにより、図１、図２における４つの搬送ローラ１２、１４、３６、３８を二つにまとめられるから、搬送ローラの数を削減でき、製品コストを下げることができる。
【００２７】
【発明の効果】
以上記載の如く本発明によれば、両面ユニットと再搬送路を構成する搬送ガイドと、第２記録紙収納手段用の搬送ガイドの再搬送路側ガイド部材を一緒に記録紙搬送方向に対して直角方向に引き出せるようにすることにより、第２記録紙収納手段用の搬送ガイド上部と下部を分離できるから、第２記録紙収納手段と搬送ガイド間で詰まった記録紙は容易に取り除くことが可能となる。
【００２８】
そして、再搬送路を構成する搬送ガイドにおける記録紙収納手段側ガイド部材と、第２記録紙収納手段用の搬送ガイドの前記再搬送路側ガイド部材とを一体に形成することにより、部品点数の削減が可能となり、製品のコストを下げることができる。
【００２９】
また、第２記録紙収納手段用の搬送ガイドにおける再搬送路側と、再搬送路における第２記録紙収納手段用の搬送ガイド側とに設ける搬送ローラを共通とすることにより、再搬送路における搬送ガイド側と、搬送ガイドにおける再搬送路側の搬送ローラのいずれかの搬送ローラ削減によって製品コストを下げることが可能となる。
【図面の簡単な説明】
【図１】本発明における画像形成装置の第１実施形態を示した概略断面図である。
【図２】本発明における画像形成装置の第２実施形態を示した概略断面図である。
【図３】本発明における画像形成装置の第３実施形態を示した概略断面図である。
【図４】従来の記録紙収容手段を並列に設けた画像形成装置の説明図である。
【符号の説明】
１  画像形成装置
２  第１記録紙収容手段
３  第２記録紙収納手段
６〜９  ピックアップローラ
１０〜１７、１９、２０  搬送ローラ
１８  共通搬送ガイド
２１  レジストローラ
２８  両面切り換え装置
２９  両面パス
３０  搬送ローラ
３１  両面ユニット
３２〜３８  搬送ローラ
４０  引き出しユニット
４１  搬送ガイド
４２  搬送ガイド
【図１】
2004177820.tif 000003
【図２】
2004177820.tif 000004
【図３】
2004177820.tif 000005
【図４】
2004177820.tif 000006